(57)【要約】【課題】操作者の煩雑な操作をすることなく、メモリーカードから別の画像記憶表示装置などの情報処理装置への転送をおこなうこと。【解決手段】データを記憶するデータ記憶部１００３と、着脱可能な記憶媒体１０００（メモリーカード２０１）が装着されたことを検出する記憶媒体検出部１００１と、着脱可能な記憶媒体１０００が装着されたことを検出した場合に、電源を投入する電源投入制御部１００２と、電源が投入された後に、着脱可能な記憶媒体１０００に記憶されているデータをデータ記憶部１００３にコピーするデータコピー部１００４と、コピーが終了した後に、電源を遮断する電源遮断制御部１００５と、を備える。【選択図】        図１０
2006268438.tif 000002
【特許請求の範囲】
【請求項１】
データを記憶する記憶手段と、
着脱可能な記憶媒体が装着されたことを検出する検出手段と、
前記検出手段によって着脱可能な記憶媒体が装着されたことを検出した場合に、電源を投入する電源投入制御手段と、
前記電源投入制御手段によって電源が投入された後に、前記着脱可能な記憶媒体に記憶されているデータを前記記憶手段にコピーするコピー手段と、
前記コピー手段によってコピーが終了した後に、電源を遮断する電源遮断制御手段と、
を備えたことを特徴とする情報処理装置。
【請求項２】
前記検出手段によって着脱可能な記憶媒体が装着されたことを検出した場合、前記コピー手段によってコピーが開始された場合および前記コピー手段によってコピーが終了した場合のすくなくともいずれか一つの場合に、その旨を告知する告知手段を備えたことを特徴とする請求項１に記載の情報処理装置。
【請求項３】
前記データは、画像データであることを特徴とする請求項１または２に記載の情報処理装置。
【請求項４】
データを記憶する記憶手段を備えた情報処理装置におけるデータ記憶方法であって、
着脱可能な記憶媒体が装着されたことを検出する検出工程と、
前記検出工程によって着脱可能な記憶媒体が装着されたことを検出した場合に、電源を投入する電源投入工程と、
前記電源投入工程によって電源が投入された後に、前記着脱可能な記憶媒体に記憶されているデータを前記記憶手段にコピーするコピー工程と、
前記コピー工程によってコピーが終了した後に、電源を遮断する電源遮断工程と、
を含んだことを特徴とするデータ記憶方法。
【請求項５】
請求項４に記載のデータ記憶方法を前記情報処理装置に実行させることを特徴とするデータ記憶プログラム。
【発明の詳細な説明】
【技術分野】
【０００１】
本発明は、データを記憶する記憶装置を備え、着脱可能な記憶媒体を装着可能な情報処理装置、情報処理装置のデータ記憶方法およびデータ記憶プログラムに関する。
【背景技術】
【０００２】
通常、デジタルカメラなどの撮像装置で撮影された画像データは、その撮像装置に格納されている各種メモリーカードに保存される。その画像データを高解像度で閲覧したり、補正などの編集をおこなう場合には、高解像度で表示が可能な画像ビューア装置、パーソナルコンピュータ（ＰＣ）などに画像データが保存されている各種メモリーカードを挿入し、操作者の操作を受けてメモリーカードから転送をおこなうのが一般的である。
【０００３】
従来、そのようにメモリーカードから画像ビューア装置、ＰＣなどに転送をおこなう場合には、操作者がそれらの装置を操作して転送をおこなう指示をその都度入力する必要があった。メモリーカードが挿入されるということはメモリーカードから転送（読み込み）をおこなうか、メモリーカードへ転送（書き込み）をおこなうかのいずれかの目的があるにも関わらず、そのように操作者がいちいち操作をおこなわれければならず、煩雑でかつ不便であるという問題点があった。そこで、ＰＣにデータを転送する際に生じる煩雑さを解消するために、フラッシュメモリーの記憶データをＰＣへ転送する機能を有する架台または受け台（「クレイドル」と呼ばれる。）について開示されている（たとえば、特許文献１参照。）。
【０００４】
【特許文献１】特開２００２−２０９１７５号公報
【発明の開示】
【発明が解決しようとする課題】
【０００５】
しかしながら、撮像装置とそのクレイドルを直接接続する構成であり、操作者がクレイドル操作メニュー画面を表示し、「データバックアップ」メニューなどをペンなどで選択する操作が必要であり、依然として、操作者の煩雑さを解消するに至ってはいない。特に、撮像装置によって撮影された画像の転送をする際に、操作者が操作をすることによって、操作者（撮影者）は、たとえば貴重なシャッターチャンスを逃してしまうといった問題点があった。
【０００６】
この発明は、上記問題点を解決するためになされたものであり、操作者が煩雑な操作をすることなく、メモリーカードから別の画像記憶表示装置などの情報処理装置への転送をおこなうことが可能な情報処理装置、データ記憶方法およびデータ記憶プログラムを提供することを目的とする。
【課題を解決するための手段】
【０００７】
上記の課題を解決するために、この発明にかかる情報処理装置は、データを記憶する記憶手段と、着脱可能な記憶媒体が装着されたことを検出する検出手段と、前記検出手段によって着脱可能な記憶媒体が装着されたことを検出した場合に、電源を投入する電源投入制御手段と、前記電源投入制御手段によって電源が投入された後に、前記着脱可能な記憶媒体に記憶されているデータを前記記憶手段にコピーするコピー手段と、前記コピー手段によってコピーが終了した後に、電源を遮断する電源遮断制御手段と、を備えたことを特徴とする。
【０００８】
また、この発明にかかる情報処理装置は、上記発明において、前記検出手段によって着脱可能な記憶媒体が装着されたことを検出した場合、前記コピー手段によってコピーが開始された場合および前記コピー手段によってコピーが終了した場合のすくなくともいずれか一つの場合に、その旨を告知する告知手段を備えたことを特徴とする。
【０００９】
また、この発明にかかる情報処理装置は、上記発明において、前記データが、画像データであることを特徴とする。
【００１０】
また、この発明にかかるデータ記憶方法は、データを記憶する記憶手段を備えた情報処理装置におけるデータ記憶方法であって、着脱可能な記憶媒体が装着されたことを検出する検出工程と、前記検出工程によって着脱可能な記憶媒体が装着されたことを検出した場合に、電源を投入する電源投入工程と、前記電源投入工程によって電源が投入された後に、前記着脱可能な記憶媒体に記憶されているデータを前記記憶手段にコピーするコピー工程と、前記コピー工程によってコピーが終了した後に、電源を遮断する電源遮断工程と、を含んだことを特徴とする。
【００１１】
また、この発明にかかるデータ記憶プログラムは、上記に記載のデータ記憶方法を前記情報処理装置に実行させることを特徴とする。
【００１２】
これらの発明によれば、操作者が煩雑な操作をすることなく、メモリーカードから別の画像記憶表示装置などの情報処理装置への転送をおこなうことが可能な情報処理装置、データ記憶方法およびデータ記憶プログラムが得られる。
【発明を実施するための最良の形態】
【００１３】
以下に添付図面を参照して、この発明にかかる情報処理装置、データ記憶方法およびデータ記憶プログラムの好適な実施の形態（実施の形態１〜３）を詳細に説明する。
【００１４】
（情報処理装置の外観）
図１−１および図１−２は、この発明の実施の形態（実施の形態１〜３）にかかる情報処理装置の外観を示す説明図である。図１は情報処理装置の上面図であり、図１において、１０１は、ＳＤメモリーカード・ＭＭＣ（マルチメディアカード）などを挿入するためのＳＤＭメモリーカードスロットであり、１０２は、ＣＦカード・マイクロドライブを挿入するＣＦカードスロットであり、１０３は、ＣＦカードを取り出すときに押下するＣＦカードイジェクトボタンである。
【００１５】
図１−２は、情報処理装置の正面図であり、図１−２において、１０４は、操作画面や画像データを表示する高精細液晶モニタ（たとえば３．８型）である。１０５は「Ｐｒｉｎｔ」ボタンであり、この「Ｐｒｉｎｔ」ボタン１０５が印刷可能な画面で押下されると、印刷設定画面を表示する。
【００１６】
１０６は「Ｍｅｎｕ」ボタンであり、この「Ｍｅｎｕ」ボタン１０６が押下されると、実行できる操作項目をポップアップメニューなどで表示する。１０７は、「↑↓←→」キー（４−Ｗａｙリング）であり、この４−Ｗａｙリング１０７の押下によって項目を選択させることができる。１０８は「ＯＫ」ボタンであり、この「ＯＫ」ボタン１０８の押下によって選択を確定する。１０９は「Ｃａｎｃｅｌ」ボタンであり、この「Ｃａｎｃｅｌ」ボタン１０９の押下によって操作を中止して一つ前の画面に戻る。
【００１７】
１１０は「Ｄｉｓｐｌａｙ」ボタンであり、この「Ｄｉｓｐｌａｙ」ボタン１１０の押下によって操作説明や画面の情報を表示する。１１１は「Ｈｏｍｅ」ボタンであり、この「Ｈｏｍｅ」ボタン１１１の押下によって操作を中止して、「ホーム画面（初期メニュー画面）」に戻す。
【００１８】
（ハードウエア構成）
図２は、この発明の実施の形態（実施の形態１〜３）にかかる情報処理装置のハードウエア構成を示す説明図である。図２において、情報処理装置２００は、メモリーカード２０１を装着可能であり、ＣＰＵ２０２と、ＲＯＭ２０３と、ＲＡＭ２０４と、ＨＤＤ（ハードディスクドライブ）２０５と、表示用コントローラ２０６と、表示画面２０７と、メモリーカードインターフェース２０８と、スピーカ出力回路２０９と、ＬＣＤ２１０と、電源投入スイッチ２１１とからなる。これらの構成部２０２〜２１１は、それぞれバス２１２によって接続される。
【００１９】
ここで、ＣＰＵ２０２は、ＲＯＭ２０３、ＲＡＭ２０４、ＨＤＤ２０５などの記憶されたプログラムを実行することによって、情報処理装置２００全体を制御する。ＲＯＭ２０３は、情報処理装置２００の基本処理プログラムを記憶している。ＲＡＭ２０４は、ＣＰＵ２０２のワークエリアとして使用される。ＨＤＤ２０５は、画像データや、制御プログラムなどの各種情報を記憶する。ＨＤＤ２０５の代わりにあるいはＨＤＤ２０５に加えて、ＤＶＤ、コンパクトディスク（ＣＤ）などの着脱可能な記憶媒体による記憶装置であってもよい。
【００２０】
また、表示用コントローラ２０６は、表示画面２０７を制御して、表示画面２０７に表示される画像の表示制御をおこなう。表示画面２０７は、文字、画像などを表示する。表示画面２０７は、具体的には、たとえば高精細な液晶ディスプレイなどである。また、メモリーカードインターフェース２０８は、メモリーカード２０１と情報処理装置２００のＣＰＵ２０２との間のデータの送受信を司る。また、メモリーカード２０１が情報処理装置２００に装着していること、装着されたことまたは着脱されたことを検出する。
【００２１】
スピーカ出力回路２０９は、音声や信号音の出力を司る。また、ＬＣＤ２１０は、点灯または点滅することによって、操作者に情報処理装置２００の状態あるいは操作者へ所定の情報（たとえば警告情報など）を告知する。また、電源投入スイッチ２１１は、操作者によってＯＮされることによって、情報処理装置２００の電源をＯＮにし、所定の起動動作を実行する。
【００２２】
（表示画面の一例）
図３および図４は、表示画面２０７に表示される表示内容の一例を示す説明図である。図３は、コピー結果を示す表示内容である。図３において、表示画面２０７には、コピーされた画像のファイルごとに縮小画像（サムネール）およびそのファイル名を並べて表示する。これによって、操作者は、当該ファイルを開くことなく、所望の画像データがコピーされたことを認識することができるとともに、画像ファイルを見たり編集したりする場合に、所望の画像データを容易に選択することができる。
【００２３】
図４は、初期メニュー画面（ホーム画面）を示す表示内容である。図４において、表示画面２０７には、操作可能な処理を示すボタン（アイコンを含む）を表示し、操作者からの選択指示を待つ。ここで、表示されている複数のアイコンの中から、所望の操作を示すアイコンを選択（タッチ）することによって、選択された操作画面に切り替わる。
【００２４】
（実施の形態１）
実施の形態１では、電源投入時において、メモリーカード２０１が存在すること、すなわち装着されていることを検出し、検出された場合に、メモリーカード２０１に格納されている画像データをＨＤＤ２０５にコピーする。
【００２５】
（実施の形態１：機能的構成）
図５は、実施の形態１にかかる情報処理装置の機能的構成を示すブロック図である。図５において、実施の形態１にかかる情報処理装置は、電源投入検知部５０１と、記憶媒体検出部５０２と、データ記憶部５０３と、データコピー部５０４と、告知部５０５と、を含む構成となっている。
【００２６】
電源投入検知部５０１は、電源が投入されたことを検知する。電源投入検知部５０１は、具体的には、たとえば図２に示した電源投入スイッチ２１１によって、またＣＰＵ２０２が、ＲＯＭ２０３、ＲＡＭ２０４やＨＤＤ２０５などに記憶されたプログラムを実行することによって、その機能を実現する。
【００２７】
記憶媒体検出部５０２は、電源投入検知部５０１によって電源が投入されたことが検知されたときに、着脱可能な記憶媒体５００であるメモリーカード２０１が装着されていることを検出する。記憶媒体検出部５０２は、具体的には、たとえば図２に示したメモリーカードインターフェース２０８によって、またＣＰＵ２０２が、ＲＯＭ２０３、ＲＡＭ２０４やＨＤＤ２０５などに記憶されたプログラムを実行することによって、その機能を実現する。
【００２８】
データ記憶部５０３は、データ、より具体的には、たとえば画像データを記憶する。データは画像データのほか、音声データ、映像データ、文書データなどであってもよい。データ記憶部５０３は、具体的には、たとえば、ＨＤＤ２０５またはＲＡＭ２０４によってその機能を実現する。
【００２９】
データコピー部５０４は、記憶媒体検出部５０２によって着脱可能な記憶媒体５００であるメモリーカード２０１が装着されていることを検出した場合に、着脱可能な記憶媒体５００であるメモリーカード２０１に記憶されているデータをデータ記憶部５０３にコピーする。データコピー部５０４は、具体的には、たとえばＣＰＵ２０２が、ＲＯＭ２０３、ＲＡＭ２０４やＨＤＤ２０５などに記憶されたプログラムを実行することによって、その機能を実現する。
【００３０】
告知部５０５は、記憶媒体検出部５０２によって着脱可能な記憶媒体５００であるメモリーカード２０１が装着されていることを検出した場合にその旨を告知する。また、データコピー部５０４によってコピーが開始された場合にその旨を告知する。また、データコピー部５０４によってコピーが終了した場合にその旨を告知する。
【００３１】
これらの告知は、それぞれ別の方法、たとえば、音声や信号音あるいは所定の表示などによっておこなうことができる。その際、告知の種類（装着検出、コピー開始検出、コピー終了検出）によって、異なる告知方法（音声、信号音、表示の内容を変えるなど）を採用するとよい。告知部５０５は、具体的には、たとえば表示用コントローラ２０６および表示画面２０７、スピーカ出力回路２０９、ＬＣＤ２１０などによってその機能を実現する。
【００３２】
（実施の形態１：処理の手順）
図６は、本発明の実施の形態１にかかる情報処理装置の処理の手順を示すフローチャートである。図６のフローチャートにおいて、まず、電源投入スイッチ２１１が押下された（ＳＷがＯＮ）か否かを判断する（ステップＳ６０１）。ここで、ＳＷがＯＮになるのを待って、ＳＷがＯＮの場合（ステップＳ６０１：Ｙｅｓ）は、パワーロックをおこない、ＣＰＵ２０２をイニシャライズする（ステップＳ６０２）。
【００３３】
つぎに、表示画面（ＬＣＤ）２０７、ＲＡＭ（ＳＤＲＡＭ）２０４、表示用コントローラ（ＬＣＤコントローラ）をイニシャライズし、画面表示をおこなう（ステップＳ６０３）。引き続き、ＨＤＤ２０５などをイニシャライズする（ステップＳ６０４）。
【００３４】
そして、メモリーカード２０１が存在するか（装着されているか）否かを判断する（ステップＳ６０５）。ここで、メモリーカード２０１が存在しない場合（ステップＳ６０５：Ｎｏ）は、ステップＳ６１２へ移行する。一方、メモリーカード２０１が存在する場合（ステップＳ６０５：Ｙｅｓ）は、メモリーカード２０１を検出した旨を示す検出音を出力する（ステップＳ６０６）。それに引き続き、コピープログラムを起動し、コピーの開始を示すコピー開始音を出力する（ステップＳ６０７）。
【００３５】
つぎに、メモリーカード２０１内のすべての画像データあるいは特定の画像データ（たとえば画像の種類やファイルが作成された日時などによって特定する）をメモリーカードインターフェース２０８を介してＨＤＤ２０５に転送する（ステップＳ６０８）。そして、転送が完了したか否かを判断する（ステップＳ６０９）。ここで、転送が完了するのを待って、完了した場合（ステップＳ６０９：Ｙｅｓ）は、転送の完了を示す完了音を出力する（ステップＳ６１０）。
【００３６】
そして、図３に示したようなコピー結果を表示する（ステップＳ６１１）。その後、ステップＳ６１２において、通常起動を続行し、通常起動が完了したら、図４に示したような初期メニュー画面（ホーム画面）を表示する（ステップＳ６１３）。これによって、情報処理装置２００は、以後、通常の処理を実行する通常モードになる。
【００３７】
以上説明したように、実施の形態１によれば、データを記憶するデータ記憶部５０３と、電源が投入されたことを検知する電源投入検知部５０１と、電源が投入されたことが検知されたときに、着脱可能な記憶媒体５００が装着されていることを検出する記憶媒体検出部５０２と、着脱可能な記憶媒体５００が装着されていることを検出した場合に、着脱可能な記憶媒体５００に記憶されているデータをデータ記憶部５０３にコピーするでデータコピー部５０４と、を備えるため、操作者が煩雑な操作をすることなく、メモリーカード２０１から別の画像記憶表示装置などの情報処理装置への転送をおこなうことができる。
【００３８】
したがって、操作者は、メモリーカード２０１を情報処理装置２００の本体に挿入し、電源投入スイッチ２１１をＯＮするだけで、メモリーカード２０１に格納された画像情報を情報処理装置２００が備えるＨＤＤ２０５へ転送することができる。
【００３９】
（実施の形態２）
実施の形態２では、メモリーカード２０１が挿入されたことを検出し、検出された場合に、メモリーカード２０１に格納されている画像データをＨＤＤ２０５にコピーする。メモリーカード２０１の挿入の検出は、通常モード時であってもよく、また、起動時であってもよい。
【００４０】
（実施の形態２：機能的構成）
図７は、実施の形態２にかかる情報処理装置の機能的構成を示すブロック図である。図７において、実施の形態２にかかる情報処理装置は、記憶媒体検出部７０１と、データ記憶部７０２と、データコピー部７０３と、起動制御部７０４と、表示部７０５と、電源遮断制御部７０６と、告知部７０７と、を含む構成となっている。
【００４１】
記憶媒体検出部７０１は、着脱可能な記憶媒体７００であるメモリーカード２０１が装着されていることを検出する。記憶媒体検出部７０１は、具体的には、たとえば図２に示したメモリーカードインターフェース２０８によって、またＣＰＵ２０２が、ＲＯＭ２０３、ＲＡＭ２０４やＨＤＤ２０５などに記憶されたプログラムを実行することによって、その機能を実現する。
【００４２】
データ記憶部７０２は、データ、より具体的には、たとえば画像データを記憶する。データは画像データのほか、音声データ、映像データ、文書データなどであってもよい。データ記憶部７０２は、具体的には、たとえば、ＨＤＤ２０５またはＲＡＭ２０４によってその機能を実現する。
【００４３】
データコピー部７０３は、記憶媒体検出部７０１によって着脱可能な記憶媒体７００であるメモリーカード２０１が装着されていることを電源投入後に検出した場合に、着脱可能な記憶媒体７００であるメモリーカード２０１に記憶されているデータをデータ記憶部７０２にコピーする。データコピー部７０３は、具体的には、たとえばＣＰＵ２０２が、ＲＯＭ２０３、ＲＡＭ２０４やＨＤＤ２０５などに記憶されたプログラムを実行することによって、その機能を実現する。
【００４４】
起動制御部７０４は、記憶媒体検出部７０１によって着脱可能な記憶媒体７００であるメモリーカード２０１が装着されたことを起動時に検出した場合に、データコピー部７０３によってコピーが終了した後に、初期メニュー画面表示モードへ移行する。起動制御部７０４は、具体的には、たとえばＣＰＵ２０２が、ＲＯＭ２０３、ＲＡＭ２０４やＨＤＤ２０５などに記憶されたプログラムを実行することによって、その機能を実現する。
【００４５】
表示部７０５は、たとえば、図３に示したようなコピー結果を表示する。表示部７０５は、具体的には、たとえば表示用コントローラ２０６および表示画面２０７によってその機能を実現する。
【００４６】
電源遮断制御部７０６は、記憶媒体検出部７０１によって着脱可能な記憶媒体７００であるメモリーカード２０１が装着されたことを起動時に検出した場合に、データコピー部７０３によってコピーが終了した後に、電源を遮断する。電源遮断制御部７０６は、具体的には、たとえばＣＰＵ２０２が、ＲＯＭ２０３、ＲＡＭ２０４やＨＤＤ２０５などに記憶されたプログラムを実行することによって、その機能を実現する。
【００４７】
告知部７０７は、記憶媒体検出部７０１によって着脱可能な記憶媒体７００であるメモリーカード２０１が装着されていることを検出した場合にその旨を告知する。また、データコピー部７０３によってコピーが開始された場合にその旨を告知する。また、データコピー部７０３によってコピーが終了した場合にその旨を告知する。また、記憶媒体検出部７０１によって着脱可能な記憶媒体７００であるメモリーカード２０１が装着されたことが検出されなかった場合、着脱可能な記憶媒体７００であるメモリーカード２０１の挿入を要求する旨を告知する。
【００４８】
これらの告知は、それぞれ別の方法、たとえば、音声や信号音あるいは所定の表示などによっておこなうことができる。その際、告知の種類（装着検出、コピー開始検出、コピー終了検出）によって、異なる告知方法（音声、信号音、表示の内容を変えるなど）を採用するとよい。告知部７０７は、具体的には、たとえば表示用コントローラ２０６および表示画面２０７、スピーカ出力回路２０９、ＬＣＤ２１０などによってその機能を実現する。
【００４９】
（実施の形態２：処理の手順）
図８は、本発明の実施の形態２にかかる情報処理装置の処理の手順を示すフローチャートである。図８のフローチャートは、通常モード時にカード挿入を検出する手順を示しており、まず、メモリーカード２０１が挿入されたか否かを判断する（ステップＳ８０１）。
【００５０】
ステップＳ８０１において、メモリーカード２０１が挿入されるのを待って、挿入された場合（ステップＳ８０１：Ｙｅｓ）は、メモリーカード２０１の挿入の割り込み要求を受けて、コピープログラムを起動し、コピーの開始を示すコピー開始音を出力する（ステップＳ８０２）。
【００５１】
つぎに、メモリーカード２０１内のすべての画像データあるいは特定の画像データ（たとえば画像の種類やファイルが作成された日時などによって特定する）をメモリーカードインターフェース２０８を介してＨＤＤ２０５に転送する（ステップＳ８０３）。そして、転送が完了したか否かを判断する（ステップＳ８０４）。
【００５２】
ステップＳ８０４において、転送が完了するのを待って、完了した場合（ステップＳ８０４：Ｙｅｓ）は、転送の完了を示す完了音を出力する（ステップＳ８０５）。そして、図３に示したようなコピー結果を表示し（ステップＳ８０６）、一連の処理を終了する。
【００５３】
図９−１および図９−２は、本発明の実施の形態２にかかる情報処理装置の別の処理の手順を示すフローチャートである。図９−１のフローチャートは、起動時にカード挿入を検出する手順を示しており、まず、電源投入スイッチ２１１が押下された（ＳＷがＯＮ）か否かを判断する（ステップＳ９０１）。ここで、ＳＷがＯＮになるのを待って、ＳＷがＯＮの場合（ステップＳ９０１：Ｙｅｓ）は、パワーロックをおこない、ＣＰＵ２０２をイニシャライズし、メモリーカード２０１の存在に関するフラグ（以下「フラグ」という）をＯＦＦにする（ステップＳ９０２）。
【００５４】
そして、メモリーカード２０１が存在するか、すなわちメモリーカード２０１が情報処理装置２００に装着されているか否かを判断する（ステップＳ９０３）。ここで、メモリーカード２０１が存在しない場合（ステップＳ９０３：Ｎｏ）は何もせずに、一方、メモリーカード２０１が存在する場合（ステップＳ９０３：Ｙｅｓ）は、上記フラグをＯＮにして（ステップＳ９０４）、それぞれステップＳ９０５へ移行する。
【００５５】
つぎに、表示画面（ＬＣＤ）２０７、ＲＡＭ（ＳＤＲＡＭ）２０４、表示用コントローラ（ＬＣＤコントローラ）をイニシャライズし、画面表示をおこなう（ステップＳ９０５）。引き続き、ＨＤＤ２０５などをイニシャライズする（ステップＳ９０６）。
【００５６】
そして、メモリーカード２０１が存在するか（装着されているか）、かつ（ＡＮＤ）、上記フラグがＯＦＦになっているか否かを判断する（ステップＳ９０７）。メモリーカード２０１が存在する場合であっても、フラグがＯＮの場合は、メモリーカード２０１が起動時に挿入されたのではなく、すでに装着済みであったと判断できるので、この場合は、データのコピーはおこなわない。
【００５７】
したがって、メモリーカード２０１が装着されており、かつ上記フラグがＯＦＦになっている場合（ステップＳ９０７：Ｙｅｓ）のみ、ステップＳ９０８へ移行し、それ以外の場合（ステップＳ９０７：Ｎｏ）、具体的には、（１）メモリーカード２０１が存在せず、かつ、フラグがＯＮ、すなわち途中でメモリーカード２０１が脱着された場合、（２）メモリーカード２０１が存在せず、かつ、フラグがＯＦＦ、すなわち元々メモリーカード２０１がない場合、（３）メモリーカード２０１が存在し、かつ、フラグがＯＮ、すなわち、いわゆる「入れっぱなし」の状態である場合、の上記３つの場合は、図９−２のフローチャートに示すステップＳ９２１へ移行する。すなわち、メモリーカード２０１が装着されており、かつ上記フラグがＯＦＦになっている場合（ステップＳ９０７：Ｙｅｓ）には、起動中の所定期間にコピー目的でカードが挿入されたときであるから、ステップＳ９０８へ移行してコピー処理をおこなう。
【００５８】
そして、メモリーカード２０１を検出した旨を示す検出音を出力する（ステップＳ９０８）。それに引き続き、コピープログラムを起動し、コピーの開始を示すコピー開始音を出力する（ステップＳ９０９）。
【００５９】
つぎに、メモリーカード２０１内のすべての画像データあるいは特定の画像データ（たとえば画像の種類やファイルが作成された日時などによって特定する）をメモリーカードインターフェース２０８を介してＨＤＤ２０５に転送する（ステップＳ９１０）。そして、転送が完了したか否かを判断する（ステップＳ９１１）。ここで、転送が完了するのを待って、完了した場合（ステップＳ９１１：Ｙｅｓ）は、転送の完了を示す完了音を出力し（ステップＳ９１２）、図３に示したようなコピー結果を表示する（ステップＳ９１３）。その後、図９−２のフローチャートに示すステップＳ９２７へ移行する。
【００６０】
図９−２のフローチャートのステップＳ９２１において、メッセージ表示フラグがＯＮであるか否かを判断する。ここで、メッセージ表示フラグがＯＦＦである場合（ステップＳ９２１：Ｎｏ）は、つぎに、メモリーカード２０１が挿入されているか（存在するか）否かを判断する（ステップＳ９２２）。
【００６１】
ステップＳ９２２において、メモリーカート２０１が存在する場合（ステップＳ９２２：Ｙｅｓ）は、表示画面２０７に、メモリーカード２０１が挿入状態である旨のメッセージを表示するとともに、メッセージ表示フラグをＯＮにする（ステップＳ９２３）。メモリーカード２０１が挿入状態である旨のメッセージとは、具体的には、たとえば『メモリーカードが入れたまま（入れっぱなし）の状態になっている可能性があります。メモリーカードのデータをコピーする場合はそのまま「確認」ボタン（図示を省略）を押してください。コピーをしない場合は、メモリーカードをはずしてから、「確認」ボタンを押してください。』などである。このメッセージとともに、上記「確認」ボタン（図示を省略）をあわせて表示する。そして、上記「確認」ボタンが押下されるのを待って、図９−１に示したステップＳ９０７へ戻る。
【００６２】
ステップＳ９２２において、メモリーカート２０１が存在しない場合（ステップＳ９２２：Ｎｏ）は、つぎに、フラグがＯＮであるか否かを判断する（ステップＳ９２４）。ここで、フラグがＯＮの場合（ステップＳ９２４：Ｙｅｓ）は、メモリーカード２０１がはずされたと判断できるので、その後、ステップＳ９２７へ移行する。一方、ステップＳ９２４において、フラグがＯＦＦの場合（ステップＳ９２４：Ｎｏ）は、表示画面２０７に、メモリーカード２０１の挿入を要求するメッセージを表示し、メッセージ表示フラグをＯＮにする（ステップＳ９２５）。その後、図９−１に示したステップＳ９０７へ戻る。
【００６３】
ステップＳ９２１において、メッセージ表示フラグがＯＮである場合（ステップＳ９２１：Ｙｅｓ）は、つぎに、メモリーカード２０１が存在するか否かを判断する（ステップＳ９２６）。ここで、メモリーカード２０１が存在する場合（ステップＳ９２６：Ｙｅｓ）は、メモリーカード２０１がそのままなので、メモリーカード２０１内のデータのコピーをしたいという意志があると判断し、図９−１に示したステップＳ９０８へ移行する。これに対し、メモリーカード２０１が存在しない場合（ステップＳ９２６：Ｎｏ）は、メモリーカード２０１がはずされたので、メモリーカード２０１内のデータのコピーをしたいという意志がないと判断し、何もせずに、ステップＳ９２７へ移行する。
【００６４】
ステップＳ９２７において、起動モードが通常モードであったか否かを判断する。ここで、通常モードであった場合（ステップＳ９２７：Ｙｅｓ）は、通常起動を続行し（ステップＳ９２８）、通常起動が完了したら、図４に示したような初期メニュー画面（ホーム画面）を表示する（ステップＳ９２９）。これによって、情報処理装置２００は、以後、通常の処理を実行する通常モードになる。
【００６５】
ステップＳ９２７において、起動モードが通常モードではなく、シャットダウンモードであった場合（ステップＳ９２７：Ｎｏ）は、シャットダウン処理をおこない（ステップＳ９３０）、一連の処理を終了する。
【００６６】
以上説明したように、実施の形態２によれば、データを記憶するデータ記憶部７０２と、着脱可能な記憶媒体７００が装着されたことを検出する記憶媒体検出部７０１と、着脱可能な記憶媒体７００が装着されたことを電源投入後に検出した場合に、着脱可能な記憶媒体７００に記憶されているデータをデータ記憶部７０２にコピーするデータコピー部７０３と、を備えるため、操作者が煩雑な操作をすることなく、メモリーカード２０１から別の画像記憶表示装置などの情報処理装置への転送をおこなうことができる。
【００６７】
したがって、操作者は、電源投入スイッチ２１１をＯＮし、メモリーカード２０１を情報処理装置２００本体に挿入するだけで、メモリーカード２０１に格納された画像情報を情報処理装置２００が備えるＨＤＤ２０５へ転送することができる。
【００６８】
（実施の形態３）
実施の形態３は、メモリーカード２０１が挿入されたことを検出し、検出された場合に、情報処理装置２００を起動し、メモリーカード２０１に格納されている画像データをＨＤＤ２０５にコピーする。コピーが完了した後は、直ちにシャットダウンを実行し、電源を遮断する。
【００６９】
（実施の形態３：機能的構成）
図１０は、実施の形態３にかかる情報処理装置の機能的構成を示すブロック図である。図１０において、実施の形態３にかかる情報処理装置は、記憶媒体検出部１００１と、電源投入制御部１００２と、データ記憶部１００３と、データコピー部１００４と、電源遮断制御部１００５と、告知部１００６と、を含む構成となっている。
【００７０】
記憶媒体検出部１００１は、着脱可能な記憶媒体１０００であるメモリーカード２０１が装着されていることを検出する。記憶媒体検出部１００１は、具体的には、たとえば図２に示したメモリーカードインターフェース２０８によって、またＣＰＵ２０２が、ＲＯＭ２０３、ＲＡＭ２０４やＨＤＤ２０５などに記憶されたプログラムを実行することによって、その機能を実現する。
【００７１】
電源投入制御部１００２は、記憶媒体検出部１００１によって着脱可能な記憶媒体１０００であるメモリーカード２０１が装着されたことを検出した場合に、電源を投入する。電源投入制御部１００２は、たとえば図２に示したメモリーカードインターフェース２０８によって、またＣＰＵ２０２が、ＲＯＭ２０３、ＲＡＭ２０４やＨＤＤ２０５などに記憶されたプログラムを実行することによって、その機能を実現する。
【００７２】
データ記憶部１００３は、データ、より具体的には、たとえば画像データを記憶する。データは画像データのほか、音声データ、映像データ、文書データなどであってもよい。データ記憶部１００３は、具体的には、たとえば、ＨＤＤ２０５またはＲＡＭ２０４によってその機能を実現する。
【００７３】
データコピー部１００４は、電源投入制御部１００２によって電源が投入された後に、着脱可能な記憶媒体１０００であるメモリーカード２０１に記憶されているデータをデータ記憶部１００３にコピーする。データコピー部１００４は、具体的には、たとえばＣＰＵ２０２が、ＲＯＭ２０３、ＲＡＭ２０４やＨＤＤ２０５などに記憶されたプログラムを実行することによって、その機能を実現する。
【００７４】
電源遮断制御部１００５は、データコピー部１００４によってコピーが終了した後に、電源を遮断する。電源遮断制御部１００５は、具体的には、たとえばＣＰＵ２０２が、ＲＯＭ２０３、ＲＡＭ２０４やＨＤＤ２０５などに記憶されたプログラムを実行することによって、その機能を実現する。
【００７５】
告知部１００６は、記憶媒体検出部１００１によって着脱可能な記憶媒体１０００であるメモリーカード２０１が装着されていることを検出した場合にその旨を告知する。また、データコピー部１００４によってコピーが開始された場合にその旨を告知する。また、データコピー部１００４によってコピーが終了した場合にその旨を告知する。
【００７６】
これらの告知は、それぞれ別の方法、たとえば、音声や信号音あるいは所定の表示などによっておこなうことができる。その際、告知の種類（装着検出、コピー開始検出、コピー終了検出）によって、異なる告知方法（音声、信号音、表示の内容を変えるなど）を採用するとよい。告知部１００６は、具体的には、たとえば表示用コントローラ２０６および表示画面２０７、スピーカ出力回路２０９、ＬＣＤ２１０などによってその機能を実現する。
【００７７】
（実施の形態３：処理の手順）
図１１は、本発明の実施の形態３にかかる情報処理装置の処理の手順を示すフローチャートである。図１１のフローチャートにおいて、まず、メモリーカード２０１が挿入されたか否かを判断する（ステップＳ１１０１）。ここで、メモリーカード２０１が挿入されるのを待って、挿入された場合（ステップＳ１１０１：Ｙｅｓ）は、パワーロックをおこない、ＣＰＵ２０２をイニシャライズする（ステップＳ１１０２）。
【００７８】
そして、電源投入スイッチ２１１が保持されているか、すなわち操作者によって電源投入スイッチ２１１がＯＮされたのか否かを判断する（ステップＳ１１０３）。ここで、電源投入スイッチ２１１が保持されていない場合（ステップＳ１１０３：Ｎｏ）は、つぎに、表示画面（ＬＣＤ）２０７、ＲＡＭ（ＳＤＲＡＭ）２０４、表示用コントローラ（ＬＣＤコントローラ）をイニシャライズする（ステップＳ１１０４）。引き続き、ＨＤＤ２０５などをイニシャライズする（ステップＳ１１０５）。
【００７９】
そして、コピープログラムを起動し、コピーの開始を示すコピー開始音を出力する（ステップＳ１１０６）。つぎに、メモリーカード２０１内のすべての画像データあるいは特定の画像データ（たとえば画像の種類やファイルが作成された日時などによって特定する）をメモリーカードインターフェース２０８を介してＨＤＤ２０５に転送する（ステップＳ１１０７）。
【００８０】
つぎに、転送が完了しか否かを判断する（ステップＳ１１０８）。ここで、転送が完了するのを待って、完了した場合（ステップＳ１１０８：Ｙｅｓ）は、転送の完了を示す完了音を出力する（ステップＳ１１０９）。その後、コピープログラムを終了し、シャットダウン処理をおこない（ステップＳ１１１０）、一連の処理を終了する。
【００８１】
ステップＳ１１０３において、電源投入スイッチ２１１が保持されている場合（ステップＳ１１０３：Ｙｅｓ）は、通常起動を続行し（ステップＳ１１１１）、通常起動が完了したら、図４に示したような初期メニュー画面（ホーム画面）を表示する（ステップＳ１１１２）。これによって、情報処理装置２００は、以後、通常の処理を実行する通常モードになる。
【００８２】
以上説明したように、実施の形態３によれば、データを記憶するデータ記憶部１００３と、着脱可能な記憶媒体１０００が装着されたことを検出する記憶媒体検出部１００１と、着脱可能な記憶媒体１０００が装着されたことを検出した場合に、電源を投入する電源投入制御部１００２と、電源が投入された後に、着脱可能な記憶媒体１０００に記憶されているデータをデータ記憶部１００３にコピーするデータコピー部１００４と、コピーが終了した後に、電源を遮断する電源遮断制御部１００５と、を備えるため、操作者が煩雑な操作をすることなく、メモリーカード２０１から別の画像記憶表示装置などの情報処理装置への転送をおこなうことができる。
【００８３】
したがって、操作者は、電源投入スイッチ２１１をＯＮすることなく、メモリーカード２０１を情報処理装置２００本体に挿入するだけで、メモリーカード２０１に格納された画像情報を情報処理装置２００が備えるＨＤＤ２０５へ転送することができ、電源の遮断もすることができる。それゆえに、電源の節約をすることができる。
【００８４】
なお、本実施の形態（実施の形態１〜３）におけるデータ記憶方法は、あらかじめ用意されたコンピュータ読み取り可能なプログラムであってもよく、またそのプログラムをサーバーを含むパーソナルコンピュータやワークステーションなどのコンピュータで実行することによって実現される。このプログラムは、ＨＤ、ＦＤ、ＣＤ−ＲＯＭ、ＭＯ、ＤＶＤなどのコンピュータで読み取り可能な記憶媒体に記憶され、コンピュータによって記憶媒体から読み出されることによって実行される。また、このプログラムは、インターネットなどのネットワークを介して配布することが可能な伝送媒体であってもよい。この発明は、携帯型のデータ記憶表示装置などの情報処理装置に適している。
【図面の簡単な説明】
【００８５】
【図１−１】実施の形態にかかる情報処理装置の外観を示す説明図（上面図）。
【図１−２】実施の形態にかかる情報処理装置の外観を示す説明図（正面図）。
【図２】実施の形態にかかる情報処理装置のハードウエア構成を示すブロック図。
【図３】表示画面に表示される表示内容の一例を示す説明図。
【図４】表示画面に表示される表示内容の一例を示す説明図。
【図５】実施の形態１の情報処理装置の機能的構成を示すブロック図。
【図６】実施の形態１の情報処理装置の処理の手順を示すフローチャート。
【図７】実施の形態２の情報処理装置の機能的構成を示すブロック図。
【図８】実施の形態２の情報処理装置の処理の手順を示すフローチャート。
【図９−１】実施の形態２の情報処理装置の処理の手順を示すフローチャート。
【図９−２】実施の形態２の情報処理装置の処理の手順を示すフローチャート。
【図１０】実施の形態３の情報処理装置の機能的構成を示すブロック図。
【図１１】実施の形態３の情報処理装置の処理の手順を示すフローチャート。
【符号の説明】
【００８６】
２００  情報処理装置、２０１  メモリーカード、２０２  ＣＰＵ、２０５  ＨＤＤ、５００，７００，１０００  （着脱可能な）記憶媒体、５０１  電源投入検知部、５０２，７０１，１００１  記憶媒体検出部、５０３，７０２，１００３  データ記憶部、５０４，７０３，１００４  データコピー部、５０５，７０７，１００６  告知部、７０４  起動制御部、７０５  表示部、７０６，１００５  電源遮断制御部、１００２  電源投入制御部
【図１−１】
2006268438.tif 000003
【図１−２】
2006268438.tif 000004
【図２】
2006268438.tif 000005
【図３】
2006268438.tif 000006
【図４】
2006268438.tif 000007
【図５】
2006268438.tif 000008
【図６】
2006268438.tif 000009
【図７】
2006268438.tif 000010
【図８】
2006268438.tif 000011
【図９−１】
2006268438.tif 000012
【図９−２】
2006268438.tif 000013
【図１０】
2006268438.tif 000014
【図１１】
2006268438.tif 000015